(57)【要約】【課題】簡素な構成でカラー画像及びモノクロ画像を適正な光量で同時に読み取る。【解決手段】ラインセンサ２は、Ｒ色ラインセンサ２１、Ｇ色ラインセンサ２２、Ｂ色ラインセンサ２３、及びモノクロ用ラインセンサ２４を備え、モノクロ用ラインセンサ２４は、検出光量を調整する電子シャッタ２４４、２４５を備える。【選択図】図２
2008205784.tif 000002
【特許請求の範囲】
【請求項１】
カラー画像を読み取る第１ラインセンサ及びモノクロ画像を読み取る第２ラインセンサを有する画像読取装置であって、
前記第１ラインセンサ又は第２ラインセンサにおける検出光量を調整する電子シャッタを備えることを特徴とする画像読取装置。
【請求項２】
前記電子シャッタは、前記第２ラインセンサにおける検出光量を調整するべく配設されることを特徴とする請求項１に記載の画像読取装置。
【請求項３】
前記第１ラインセンサ及び第２ラインセンサは、ＣＣＤ（Ｃｈａｒｇｅ  Ｃｏｕｐｌｅｄ  Ｄｅｖｉｃｅｓ）センサを備え、
前記電子シャッタは、前記ＣＣＤの電荷蓄積時間を制御することによって検出光量を調整することを特徴とする請求項１又は請求項２に記載の画像読取装置。
【発明の詳細な説明】
【技術分野】
【０００１】
本発明は、カラー画像を読み取る第１ラインセンサ及びモノクロ画像を読み取る第２ラインセンサを有する画像読取装置に関するものである。特に、スキャナ、複写機、ファクシミリ、インターネットファクシミリ、及び、これらの機能の内、少なくとも１の機能を有する複合機に関するものである。
【背景技術】
【０００２】
モノクロ読取用の１ラインＣＣＤセンサとカラー読取用の３ラインＣＣＤセンサとを備え、カラー画像及びモノクロ画像を読み取る画像読取装置が使用されている。例えば、原稿をモノクロとして読み取るときよりも、カラーとして読み取るときの方が、白色ＬＥＤ（Ｌｉｇｈｔ  Ｅｍｉｔｔｉｎｇ  Ｄｉｏｄｅ）アレーからなる光源の発光量を多めに設定する画像読取装置が開示されている。（特許文献１参照）。この画像読取装置によれば、カラー画像及びモノクロ画像を同等の品質で読み取ることができる。
【特許文献１】特開２００４−３４３３５５号公報
【発明の開示】
【発明が解決しようとする課題】
【０００３】
しかしながら、上記画像読取装置では、光源の発光量を調節する必要があるため、光源が蛍光灯、キセノン管等からなる場合には、発光量の調節が困難である。また、光源が白色ＬＥＤアレーからなる場合であっても、発光量を調節する機構を備える必要があるため、装置が複雑化し、製造コストが増大する。更に、上記画像読取装置では、光源の発光量を調節する必要があるため、カラー画像及びモノクロ画像を同時に読み取ることができない。
【０００４】
本発明は、上記課題に鑑みてなされたものであって、簡素な構成でカラー画像及びモノクロ画像を適正な光量で同時に読み取ることの可能な画像読取装置を提供することを目的としている。
【課題を解決するための手段】
【０００５】
上記目的を達成するために請求項１に記載の画像読取装置は、カラー画像を読み取る第１ラインセンサ及びモノクロ画像を読み取る第２ラインセンサを有する画像読取装置であって、前記第１ラインセンサ又は第２ラインセンサにおける検出光量を調整する電子シャッタを備えることを特徴としている。
【０００６】
請求項２に記載の画像記憶装置は、請求項１に記載の画像読取装置であって、前記電子シャッタが、前記第２ラインセンサにおける検出光量を調整するべく配設されることを特徴としている。
【０００７】
請求項３に記載の画像記憶装置は、請求項１又は請求項２に記載の画像読取装置であって、前記第１ラインセンサ及び第２ラインセンサが、ＣＣＤ（Ｃｈａｒｇｅ  Ｃｏｕｐｌｅｄ  Ｄｅｖｉｃｅｓ）センサを備え、前記電子シャッタが、前記ＣＣＤの電荷蓄積時間を制御することによって検出光量を調整することを特徴としている。
【発明の効果】
【０００８】
請求項１に記載の画像読取装置によれば、電子シャッタによって、第１ラインセンサ又は第２ラインセンサにおける検出光量が調整されるため、簡素な構成でカラー画像及びモノクロ画像を適正な光量で同時に読み取ることができる。
【０００９】
すなわち、第１ラインセンサ及び第２ラインセンサの内、感度の高い側に電子シャッタを配設することによって、感度の高い側の検出光量が調整されるので、簡素な構成でカラー画像及びモノクロ画像を適正な光量で同時に読み取ることができるのである。
【００１０】
請求項２に記載の画像読取装置によれば、電子シャッタが、モノクロ画像を読み取る第２ラインセンサにおける検出光量を調整するべく配設されているため、更に簡素な構成でカラー画像及びモノクロ画像を適正な光量で同時に読み取ることができる。
【００１１】
すなわち、電子シャッタを、カラー画像を読み取る第１ラインセンサにおける検出光量を調整するべく配設する場合には、第１ラインセンサを構成する各色（例えば、ＲＧＢの各色）のラインセンサに、それぞれ、電子シャッタを配設する必要があるため、装置が複雑化し製造コストが増大すると共に、第１ラインセンサを構成するラインセンサ間の間隔が大きくなり、色ズレが発生し易くなるのである。
【００１２】
請求項３に記載の画像読取装置によれば、第１ラインセンサ及び第２ラインセンサが、ＣＣＤセンサを備え、電子シャッタによって、ＣＣＤの電荷蓄積時間を制御することによって検出光量が調整されるため、更に簡素な構成でカラー画像及びモノクロ画像を適正な光量で同時に読み取ることができる。
【００１３】
すなわち、電子シャッタによって、ＣＣＤの電荷蓄積時間を制御する場合には、１ラインの走査期間内の予め設定された所定期間（＝電子シャッタが「閉」の期間）において蓄積した電荷を捨て去ることができるため、１ラインの走査時間内におけるＣＣＤの電荷蓄積時間（＝積分時間）を容易に調整できるので、更に簡素な構成でカラー画像及びモノクロ画像を適正な光量で同時に読み取ることができるのである。
【発明を実施するための最良の形態】
【００１４】
以下、本発明に係る画像読取装置の一例について図面を参照して説明する。図１は、本発明に係るスキャナの概略構成の一例を示すブロック図である。なお、ここでは、画像読取装置が、スキャナである場合について説明するが、原稿に形成された画像を読み取ることにより原稿画像情報を生成する他の画像読取装置（例えば、複写機、ファクシミリ、インターネットファクシミリ、複合機等）である形態でもよい。図１に示すように、スキャナ１は、画像生成部１１、制御部１２、表示部１３、及び、操作部１４を備えている。
【００１５】
画像生成部１１は、原稿に形成された画像を読み取り原稿画像情報を生成するものであって、本発明に係るラインセンサ２及びＡＤＦ１１１を備えている。ラインセンサ２は、読み取る対象の原稿に当てられた光の反射光をＣＣＤ（Ｃｈａｒｇｅ  Ｃｏｕｐｌｅｄ  Ｄｅｖｉｃｅｓ）などで読み取って原稿画像情報を生成するものである。ＡＤＦ（Ａｕｔｏｍａｔｉｃ  Ｄｏｃｕｍｅｎｔ  Ｆｅｅｄｅｒ）１１２は、複数枚の原稿を、順次、ラインセンサ２の原稿読み取り位置へ搬送するものである。
【００１６】
制御部１２は、スキャナ１全体の動作を制御するものであって、ＣＰＵ（Ｃｅｎｔｒａｌ  Ｐｒｏｃｅｓｓｉｎｇ  Ｕｎｉｔ）１２１と、ＲＡＭ（Ｒａｎｄｏｍ  Ａｃｃｅｓｓ  Ｍｅｍｏｒｙ）１２２と、図略のＲＯＭ（Ｒｅａｄ  Ｏｎｌｙ  Ｍｅｍｏｒｙ）とを備えている。
【００１７】
ここで、ＣＰＵ１２１は、ラインセンサ２に配設された図２を用いて後述する電子シャッタ２４４、２４５を制御するものである。具体的には、電子シャッタ２４４、２４５に対して、後述する閉期間に対応する電荷を捨て去らせる（＝後述する転送用シフトレジスタ２４２、２４３を介して、後述する開期間に対応する電荷を水平転送させる）ものである。
【００１８】
表示部１３は、ＬＣＤ（Ｌｉｑｕｉｄ  Ｃｒｙｓｔａｌ  Ｄｉｓｐｌａｙ）等を備え、ガイダンス情報、アラーム情報等の種々の情報をユーザから視認可能に表示するものである。
【００１９】
操作部１４は、ユーザからの操作入力を受け付けるものであって、例えば、複数の操作ボタンを備え、ボタンが押下されたことを受け付けて、対応する操作入力情報をＣＰＵ１１１に送信するものである。
【００２０】
図２は、本発明に係るラインセンサ２の構成の一例を示す構成図である。図１に示すスキャナ１において、１回の原稿走査でカラー画像及びモノクロ画像を読み取るために、Ｒ（赤）、Ｇ（緑）、Ｂ（青）のラインセンサ（Ｒ色、Ｇ色、Ｂ色ラインセンサ２１、２２、２３）を有する３ラインカラーセンサを使用し、入射光をＲＧＢの３原色に分解することによってカラー画像の読み取りを行うと共に、モノクロ用のラインセンサ２４を使用し、モノクロ画像の読み取りを行っている。
【００２１】
Ｒ色、Ｇ色、Ｂ色ラインセンサ２１、２２、２３（第１ラインセンサに相当する）は、原稿からの反射光をＲＧＢの３色に色分解するために、それぞれ、ＲＧＢのカラーフィルタを備えている。また、モノクロ用のラインセンサ２４（第２ラインセンサに相当する）は、電子シャッタ２４４、２４５を備えている。
【００２２】
ラインセンサ２は、フォトダイオード２１１、２２１、２３１、２４１及び、転送用シフトレジスタ２１２、２１３、２２２、２２３、２３２、２３３、２４２、２４３を備えている。フォトダイオード２１１、及び、転送用シフトレジスタ２１２、２１３は、Ｒ（赤）の画像信号を形成するＲ色ラインセンサ２１を構成するものであって、読み取り画像信号ＳＲ１、ＳＲ２を２チャンネルで出力するものである。
【００２３】
同様に、フォトダイオード２２１、及び、転送用シフトレジスタ２２２、２２３は、Ｇ（緑）の画像信号を形成するＧ色ラインセンサ２２を構成するものであって、読み取り画像信号ＳＧ１、ＳＧ２を２チャンネルで出力するものである。
【００２４】
また、フォトダイオード２３１、及び、転送用シフトレジスタ２３２、２３３は、Ｂ（青）の画像信号を形成するＢ色ラインセンサ２３を構成するものであって、読み取り画像信号ＳＢ１、ＳＢ２を２チャンネルで出力するものである。
【００２５】
更に、フォトダイオード２４１、転送用シフトレジスタ２４２、２４３、及び、電子シャッタ２４４、２４５は、モノクロの画像信号を形成するモノクロ用ラインセンサ２４を構成するものであって、読み取り画像信号ＳＫ１、ＳＫ２を２チャンネルで出力するものである。
【００２６】
フォトダイオード２１１、２２１、２３１は、それぞれ、Ｒ、Ｇ、Ｂ色の色フィルタを備え、Ｒ、Ｇ、Ｂ色に対応する信号電荷を生成するものである。なお、フォトダイオード２１１、２２１、２３１によって蓄積されたＲ、Ｇ、Ｂ色に対応する信号電荷は、図略のシフトゲートを介して、転送用シフトレジスタ２１２、２１３、２２２、２２３、２３２、２３３に垂直転送される。
【００２７】
転送用シフトレジスタ２１２、２１３、２２２、２２３、２３２、２３３は、図略のシフトゲートによって垂直転送されたＲ、Ｇ、Ｂ色に対応する信号電荷を、それぞれ、図略の出力信号端子の方向に水平転送するものである。
【００２８】
フォトダイオード２４１は、モノクロ画像に対応する信号電荷を生成するものである。なお、フォトダイオード２４１によって蓄積されたモノクロ画像に対応する信号電荷は、図略のシフトゲートを介して、転送用シフトレジスタ２４２、２４３に垂直転送される。
【００２９】
また、電子シャッタ２４４、２４５は、ＣＰＵ１２１からの指示に従って、ＣＣＤの電荷蓄積時間を制御することによって検出光量を調整するものである。具体的には、電子シャッタ２４４、２４５は、１ラインの走査期間内の予め設定された所定期間（＝電子シャッタが「閉」の期間：以下、閉期間という）において蓄積した電荷を捨て去るものである。すなわち、電子シャッタ２４４、２４５は、図略のシフトゲートを介して垂直転送された信号電荷の内、閉期間において蓄積した電荷を、転送用シフトレジスタ２４２、２４３を介して捨て去るものである。
【００３０】
転送用シフトレジスタ２４２、２４３は、図略のシフトゲートによって垂直転送されたモノクロ画像に対応する信号電荷の内、電子シャッタ２４４、２４５によって捨て去られた残りの電荷（＝電子シャッタが「開」の期間（＝以下、開期間という）に蓄積された電荷に相当する）を、図略の出力信号端子の方向に水平転送するものである。
【００３１】
図３は、電子シャッタ２４４、２４５の動作の一例を示すグラフである。グラフの横軸は時間であり、縦軸はＣＣＤによって蓄積された電荷である。時間ｔ０から時間ｔ１までの期間が、電子シャッタが「開」の期間である開期間であって、時間ｔ１から時間ｔ２までの期間が、電子シャッタが「閉」の期間である閉期間であって、時間ｔ２から時間ｔ３までの期間が、ＣＣＤに蓄積された電荷が排出される期間である。
【００３２】
図に示すように、電子シャッタ２４４、２４５が配設されていない場合には、時間ｔ０から時間ｔ２までの期間において、ＣＣＤに電荷が蓄積され、電荷Ｑ１が蓄積される。これに対して、電子シャッタ２４４、２４５が配設されている場合には、時間ｔ０から時間ｔ１までの開期間において、ＣＣＤに電荷が蓄積され、時間ｔ１から時間ｔ２までの閉期間において、ＣＣＤに電荷が蓄積されない（＝電荷が捨て去られる）ため、開期間に対応する電荷Ｑ０が蓄積される。すなわち、開期間、閉期間を適正に設定することによって、ＣＣＤに蓄積される電荷を適正値に調整することができるのである。
【００３３】
このようにして、電子シャッタによって、第１ラインセンサ又は第２ラインセンサにおける検出光量が調整されるため、簡素な構成でカラー画像及びモノクロ画像を適正な光量で同時に読み取ることができる。
【００３４】
すなわち、Ｒ色、Ｇ色、Ｂ色ラインセンサ２１、２２、２３及びモノクロ用ラインセンサ２４の内、感度の高い側（ここでは、モノクロ用ラインセンサ２４）に電子シャッタ２４４、２４５を配設することによって、感度の高い側（ここでは、モノクロ用ラインセンサ２４）の検出光量が調整されるので、簡素な構成でカラー画像及びモノクロ画像を適正な光量で同時に読み取ることができるのである。
【００３５】
また、電子シャッタ２４４、２４５が、モノクロ画像を読み取るラインセンサ２４における検出光量を調整するべく配設されているため、更に簡素な構成でカラー画像及びモノクロ画像を適正な光量で同時に読み取ることができる。
【００３６】
すなわち、電子シャッタ２４４、２４５を、カラー画像を読み取るＲ色、Ｇ色、Ｂ色ラインセンサ２１、２２、２３における検出光量を調整するべく配設する場合には、Ｒ色、Ｇ色、Ｂ色ラインセンサ２１、２２、２３に、それぞれ、電子シャッタを配設する必要があるため、装置が複雑化し製造コストが増大すると共に、Ｒ色、Ｇ色、Ｂ色ラインセンサ２１、２２、２３間の間隔が大きくなり、色ズレが発生し易くなるのである。
【００３７】
更に、モノクロ用ラインセンサ２４が、ＣＣＤセンサを備え、電子シャッタ２４４、２４５によって、ＣＣＤの電荷蓄積時間を制御することによって検出光量が調整されるため、更に簡素な構成でカラー画像及びモノクロ画像を適正な光量で同時に読み取ることができる。
【００３８】
すなわち、電子シャッタ２４４、２４５によって、ＣＣＤの電荷蓄積時間を制御する場合には、１ラインの走査期間内の予め設定された所定期間（＝電子シャッタが「閉」の期間）において蓄積した電荷を捨て去ることができるため、１ラインの走査時間内におけるＣＣＤの電荷蓄積時間（＝積分時間）を容易に調整できるので、更に簡素な構成でカラー画像及びモノクロ画像を適正な光量で同時に読み取ることができるのである（図３参照）。
【００３９】
なお、本発明は、以下の形態にも適用可能である。
（Ａ）本実施形態では、電子シャッタをモノクロ用のラインセンサ２４に配設する場合について説明したが、電子シャッタをＲ色、Ｇ色、Ｂ色ラインセンサ２１、２２、２３に配設する形態でもよい。
【００４０】
（Ｂ）本実施形態では、電子シャッタ２４４、２４５が閉期間において蓄積した電荷を、転送用シフトレジスタ２４２、２４３を介して捨て去る場合について説明したが、その他の方法で電子シャッタ２４４、２４５がＣＣＤの電荷蓄積時間を制御することによって検出光量を調整する形態でもよい。例えば、電子シャッタ２４４、２４５がフォトダイオード２４１のＯＮ／ＯＦＦすることによってＣＣＤの電荷蓄積時間を制御する形態でもよい。
【図面の簡単な説明】
【００４１】
【図１】は、本発明に係るスキャナの概略構成の一例を示すブロック図である。
【図２】は、本発明に係るラインセンサの構成の一例を示す構成図である。
【図３】は、電子シャッタの動作の一例を示すグラフである。
【符号の説明】
【００４２】
１    スキャナ（画像読取装置）
１２    制御部
１２１    ＣＰＵ
２    ラインセンサ
２１    Ｒ色ラインセンサ（第１ラインセンサの一部）
２２    Ｇ色ラインセンサ（第１ラインセンサの一部）
２３    Ｂ色ラインセンサ（第１ラインセンサの一部）
２４    モノクロ用ラインセンサ（第２ラインセンサ）
２１１、２２１、２３１、２４１    フォトダイオード
２１２、２１３、２３２、２３３、２４２、２４３    転送用シフトレジスタ
２４４、２４５    電子シャッタ
【図１】
2008205784.tif 000003
【図２】
2008205784.tif 000004
【図３】
2008205784.tif 000005